(57)【特許請求の範囲】
【請求項１】
一端部に設けた口金部を口金部材に装着することによって片持ち状態に支持される片口型ハロゲンランプと、
上記ハロゲンランプよりも大きな内径を有して全長に亘って被覆するに足る全体略筒状を呈して形成され、上記ハロゲンランプとの間に一端部から供給される加熱媒体を加熱する加熱流路を構成しかつ自由端部が細径に絞られて加熱媒体の吹出し口を構成している熱交換部材と、
上記熱交換部材を全長に亘って被覆するに足る全体略筒状に形成された断熱部材と、
上記熱交換部材と上記断熱部材の一端側を同心状態でそれぞれ着脱自在に片持ち状態に支持するとともに上記口金部材を上記熱交換部材と同心状態で支持し、上記熱交換部材の上記加熱流路内に加熱媒体を供給する供給部が設けられたホルダ部材と、
上記熱交換部材の上記吹出し口に着脱自在に装着され、上記加熱流路内で上記ハロゲンランプにより加熱された上記加熱加熱媒体を被加熱体に向けて噴出させるノズル部材とを備え、
上記ホルダ部材に設けたハンドルを把持し或いは上記ホルダ部材をスタンド部材により保持して上記熱交換部材の上記吹出し口を上記被加熱体に向けた状態で、上記ホルダ部材に設けた上記供給部から供給された上記加熱媒体を上記加熱流路内で上記ハロゲンランプによって加熱し、上記熱交換部材の上記吹出し口或いはこの吹出し口に装着した上記ノズル部材から上記被加熱体に吹き付けて加熱することを特徴とする加熱装置。
【発明の詳細な説明】
【０００１】
【発明の属する技術分野】
本発明は、加熱源としてハロゲンランプが用いられ、このハロゲンランプにより気体や液体等の加熱媒体を加熱して被加熱体に吹き付けるようにした加熱装置に関する。
【０００２】
【従来の技術】
例えば、半導体の製造装置等には、素子を封装した樹脂を乾燥したり、純水やエッチング液等を所定の温度に加熱保持するために気体や流体を加熱する加熱装置が工程中に設置されている。また、加熱装置は、例えば部品等を接着剤によって接合する工程中に設置されて、塗布された接着剤を素早く乾燥、硬化させるために用いられている。かかる加熱装置には、その熱源として、一般に温度制御が容易であるとともに比較的構造が簡易でありかつクリーン度も高い電気熱源が備えられている。
【０００３】
電気熱源には、特にニクロム線ヒータと比較して、熱効率が良好であるとともに長寿命でありかつランニングコストも廉価であるといった特性からハロゲンランプや赤外線ランプ或いは放電灯等のランプヒータが多く用いられている。ハロゲンランプを加熱源とした加熱装置としては、例えば特開平５−２３１７１２号公報、特開平８−３５７２４号公報或いは特開平１０−１２２６５６号公報等に開示されている。
【０００４】
かかる先願加熱装置においては、長軸の両口型ハロゲンランプが用いられるとともに、このハロゲンランプをハウジングによって全長に亘って被覆してなる。ハウジングは、ハロゲンランプの両端部を支架しかつこの両端部に設けられた口金を電気的に接続するとともに、その内部に加熱媒体となる気体や液体等の流路が構成されている。先願加熱装置においては、ハウジングの一端部に加熱媒体の供給口が設けられるとともに、他端部に送出口が設けられている。先願加熱装置においては、供給口から供給された加熱媒体をハウジングの内部を流れる途中でハロゲンランプによって加熱し、送出口を介して被加熱体に吹き付けてこれを加熱する。
【０００５】
【発明が解決しようとする課題】
ところで、従来の加熱装置においては、上述したように両口型ハロゲンランプがその両端部をハウジング内に支架されるとともに電気的接続が行われる構造であるために、このハロゲンランプの支持部と内部空間とのシールド構造が複雑となるとともにその交換操作が面倒であるといった問題があった。また、従来の加熱装置においては、ハロゲンランプの交換に際して、位置決めされた状態からハウジングを移動してその操作を行う必要があるために再設定操作が面倒であるといった問題があった。
【０００６】
また、従来の加熱装置においては、加熱媒体を被加熱体に効率的に吹き付けるようにするために送出口と被加熱体との間に適宜のガイド部材を設ける必要があり、さらにこのガイド部材を設けた場合にはその内部を通過する際に加熱媒体の温度が低下して特性が変化するといった問題があった。さらに、従来の加熱装置においては、被加熱体に対して加熱媒体をスポット的に吹き付ける等に用いる場合には、送出口やガイド部材と被加熱体との位置決めが面倒であるといった問題があった。
【０００７】
さらにまた、従来の加熱装置においては、比較的大型であるとともに上述したガイド部材等が付設される構成から工程中に専用に設置され、品種の切替等に伴う工程変更等に簡易に対応し得ないとともに手持ち状態で簡易に使用することも困難であるといった問題があった。また、従来の加熱装置は、比較的高価な長軸の両口型ハロゲンランプを用いるとともに、その構造も複雑であるために全体として高価となっていた。
【０００８】
したがって、本発明は、取扱いが簡便で廉価であり、熱損失を抑制して被加熱媒体に対して加熱媒体を的確かつ効率的に吹き付け得るようにしたハロゲンランプを加熱源とする加熱装置を提供することを目的に提案されたものである。
【０００９】
【課題を解決するための手段】
上述した目的を達成する本発明にかかる加熱装置は、一端部に設けた口金部を口金部材に装着することによって片持ち状態に支持される片口型ハロゲンランプと、このハロゲンランプよりも大きな内径を有して全長に亘って被覆するに足る全体略筒状を呈して形成されハロゲンランプとの間に一端部から供給される加熱媒体を加熱する加熱流路を構成するとともに自由端部が細径に絞られて加熱媒体の吹出し口が設けられた熱交換部材と、この熱交換部材を全長に亘って被覆するに足る全体略筒状に形成された断熱部材と、熱交換部材と断熱部材の一端側を同心状態でそれぞれ着脱自在に片持ち状態に支持するとともに口金部材を熱交換部材と同心状態で支持して熱交換部材の加熱流路内に加熱媒体を供給する供給部が設けられたホルダ部材と、熱交換部材の吹出し口に着脱自在に装着されて加熱流路内でハロゲンランプにより加熱された加熱加熱媒体を被加熱体に向けて噴出させるノズル部材とを備えて構成される。
【００１０】
以上のように構成された本発明にかかる加熱装置によれば、ホルダ部材に設けたハンドルを把持し或いはホルダ部材をスタンド部材により保持し、ホルダ部材に設けられた熱交換部材の吹出し口を被加熱体に向けた状態で、ホルダ部材の供給部から熱交換部材の内部に供給された加熱媒体を加熱流路内でハロゲンランプによって所定の温度に加熱し、自由端部の吹出し口を介して被加熱体に直接吹き付ける。したがって、加熱装置によれば、加熱媒体を被加熱体に対して直接吹き付けることで熱損失の抑制が図られて、被加熱体を効率的に加熱する。また、加熱装置は、片口型ハロゲンランプを用いることで、その交換操作が設置状態でも片側から可能とされ操作性の向上が図られる。さらに、加熱装置は、被加熱体に対する加熱媒体の吹付け位置が自由端部の吹出し口を介して漏出するハロゲンランプの光によって照明されることで吹付け位置の設定が容易かつ正確に行われ、被加熱体をより効率的に加熱するとともにスポット加熱も可能となる。加熱装置は、小型簡易であるとともに取扱いや操作が簡便であることから工程変更等の対応も簡易に図られ、さらに手持ちでの使用も可能であり汎用性が極めて高い。
【００１１】
【発明の実施の形態】
以下、本発明の実施の形態について、図面を参照して詳細に説明する。実施の形態として示す加熱装置１は、図１及び図２に示すように、加熱源のハロゲンランプ２と、熱交換部材３と、ホルダ部材４と、口金部材５と、断熱部材６等の部材によって本体部が構成される。加熱装置１は、この本体部がベース部材７に対して２個のディスタンスロッド８及び通しボルト９とを介して片持ち状態で支持される。加熱装置１には、ホルダ部材４に供給パイプ１０が接続されて供給源から空気やガス或いは水等の加熱媒体が取り入れられるとともに、ベース部材７から引き出された電源コード１１が図示しない電源スイッチやスライダック等の電圧調整器に接続される。
【００１２】
ハロゲンランプ２には、棒状の発光部の一端側に口金２ａが設けられたいわゆる片口型ハロゲンランプが用いられる。ハロゲンランプ２は、詳細を省略するが石英ガラス管の内部にハロゲン元素と不活性ガスとが封入されるとともに、タングステンフィラメントが封装されてなる。ハロゲンランプ２は、口金２ａを口金部材５に装着することによって片持ち状態で支持される。片口型ハロゲンランプ２は、両口型ハロゲンランプと比較して廉価であり、部品費の低減が図られるようになる。
【００１３】
熱交換部材３は、耐熱性、熱伝導率が良好な金属材、例えば真鍮や銅、アルミニウム等によってハロゲンランプ２を全長に亘って被覆するに足る全体略筒状に形成されてなる。熱交換部材３は、その内径がハロゲンランプ２の外径よりも大径とされるとともに、一端部に外周ネジ３ａが形成されかつ他端部が細径に絞られて加熱媒体の吹出し口３ｂを構成している。熱交換部材３は、後述するように外周ネジ３ａをねじ込むことによってホルダ部材４に対して片持ち状態で着脱自在に組み付けられる。なお、熱交換部材３は、上述した金属材ばかりでなく、熱伝導率がやや小さなステンレス材やその他の金属材によって形成してもよいことは勿論である。
【００１４】
ホルダ部材４は、ステンレス材等の金属材によって全体矩形盤状を呈して形成され、後述するようにその一方主面４ａ側に熱交換部材３や断熱部材６が組み付けられるとともに他方主面４ｂ側にハロゲンランプ２を装着する口金部材５が組み付けられる。ホルダ部材４には、その略中央部に段付きの口金部材取付け孔１２が貫通して形成されている。ホルダ部材４には、その一方主面４ａに、口金部材取付け孔１２と同心の熱交換部材取付け溝１３と断熱部材取付け溝１４とが形成されている。
【００１５】
熱交換部材取付け溝１３及び断熱部材取付け溝１４は、それぞれ円形溝からなり、詳細を省略するがその内壁に内周ネジが形成されている。これら熱交換部材取付け溝１３及び断熱部材取付け溝１４には、熱交換部材３や断熱部材６がその一端部に形成した外周ネジ３ａ、６ａがねじ込まれて着脱自在とする。
【００１６】
ホルダ部材４には、その内部に一端が外周面に開口されるとともに他端が口金部材取付け孔１２に開口されて加熱媒体流路１５が形成されている。ホルダ部材４には、他方主面４ｂに、図示しないがそれぞれ通しボルト９の先端部がねじ込まれるネジ孔が形成されている。また、ホルダ部材４には、その加熱媒体流路１５の一端部に供給パイプ１０の一端部が接続される。供給パイプ１０は、他端部が図示しない加熱媒体の供給源と接続されている。
【００１７】
口金部材５は、詳細を省略するがハロゲンランプ２の口金２ａが装着される開口部を有するソケットが内蔵されるとともに、他端側から電源コード１１が引き出されてなる。口金部材５は、その基部を図示しない取付けねじによってベース部材７に固定されている。口金部材５は、シーリング部材１６を介してそのソケット側の先端部が口金部材取付け孔１２に嵌合されることによってホルダ部材４に組み付けられる。口金部材５は、後述するようにホルダ部材４に対してベース部材７を組み付けることによってシーリング部材１６を口金部材取付け孔１２に圧着することで、加熱媒体流路１５を主面４ｂ側において封止している。
【００１８】
断熱部材６は、熱伝導率が比較的小さな合成樹脂材料やステンレス材等によって熱交換部材３を全長に亘って被覆するに足る全体略筒状に形成されてなる。断熱部材６は、一端部に外周ネジ６ａが形成され、この外周ネジ６ａを断熱部材取付け溝１４にねじ込むことによってホルダ部材４に対して片持ち状態で着脱自在に組み付けられる。
【００１９】
ベース部材７は、金属材や合成樹脂等によってホルダ部材４とほぼ等しい外形の矩形板として形成され、図示しないがその中央部に口金部材５から引き出された電源コード１１の引出し孔が形成されている。ベース部材７には、ホルダ部材４のネジ孔にそれぞれ対応して貫通孔が形成されている。各貫通孔は、詳細を省略するが、ディスタンスロッド８の外径よりも小径とされている。
【００２０】
ベース部材７は、ホルダ部材４との対向主面７ａに口金部材５を取り付けた状態で、ディスタンスロッド８及び通しボルト９を介してその対向間隔を保持されてホルダ部材４に組み付けられる。すなわち、ベース部材７は、貫通孔から差し込んだ通しボルト９をディスタンスロッド８に貫通させ、その先端部をねじ孔にねじ込むことによりホルダ部材４に組み付けられる。ディスタンスロッド８は、上述したシーリング部材１６が口金部材取付け孔１２内において圧縮状態とされるように、ホルダ部材４とベース部材７との対向間隔を保持するに足る軸長を以って形成されている。
【００２１】
なお、ホルダ部材４とベース部材７とは、ディスタンスロッド８と通しボルト９とによって所定の対向間隔を以って組み付けられるが、かかる構成に限定されるものでは無いことは勿論である。ホルダ部材４とベース部材７とは、例えばホルダ部材４側にスタッドボルトを立設し、このスタッドボルトをベース部材７の貫通孔に貫通させた状態でナットを締め付ける構造であってもよい。また、シーリング部材１６は、例えばＯリングやゴムパッキン等によって構成される。
【００２２】
ホルダ部材４には、その外周部にねじ孔が形成されており、このネジ孔に取付部のねじをねじ込むことによって図２に示すようにハンドル１８が取り付けられる。ハンドル１８は、これを把持することによって、加熱装置１を手持ちで使用することを可能とする。ハンドル１８は、加熱装置１をスタンド部材等に支持して固定して使用する場合、或いは持運び時や保管時にホルダ部材４から取り外される。
【００２３】
加熱装置１においては、ホルダ部材４の一方主面４ｂ側から、ベース部材７に取り付けられた口金部材５がその外周部にシーリング部材１６を装着した状態で口金部材取付け孔１２に嵌合される。加熱装置１においては、通しボルト９を締め付けることによってホルダ部材４に対してベース部材７が強固に固定されるとともに、口金部材５が口金部材取付け孔１２内に押し込まれてシーリング部材１６によりこの口金部材取付け孔１２と加熱媒体流路１５との間が封止される。
【００２４】
加熱装置１においては、ソケットに口金２ａが嵌合されることによって口金部材５に対してハロゲンランプ２が片持ち状態で装着されており、このハロゲンランプ２が口金部材取付け孔１２を介してホルダ部材４を貫通してその一方主面４ａ側から突出されている。加熱装置１においては、熱交換部材取付け溝１３に外周ネジ３ａがねじ込まれることによって、ホルダ部材４に対して熱交換部材３が片持ち状態で組み付けられる。
【００２５】
加熱装置１においては、ハロゲンランプ２と熱交換部材３との間に、加熱媒体を加熱する加熱流路１７が構成されている。加熱流路１７は、その一端部がホルダ部材４の加熱媒体流路１５に連通するとともに、他端部が上述した吹出し口３ｂとして構成される。加熱装置１においては、断熱部材取付け溝１４に外周ネジ６ａがねじ込まれることによって、ホルダ部材４に対して断熱部材６が片持ち状態で組み付けられる。断熱部材６は、熱交換部材３を全長に亘って被覆することで、危険防止を図るとともに、熱交換部材３の放熱を抑制して加熱媒体の加熱がより有効に行われるようにする。
【００２６】
以上のように構成された加熱装置１は、図示しないスタンド部材等に支持して工程中に設置される。加熱装置１は、電源スイッチが閉成されるとともに所定の電圧に調整操作されることでハロゲンランプ２が点灯し、またポンプ等が起動されて供給パイプ１０から加熱媒体流路１５内に加熱媒体が供給される。加熱装置１は、ハロゲンランプ２の発熱により、短時間でかつ安定した状態で加熱流路１７内を加熱雰囲気にするとともに熱交換部材３も加熱される。加熱装置１は、電圧調整によってハロゲンランプ２の発熱、発光状態が適宜調整され、加熱媒体の温度、吹出し量の管理が確実かつ容易に行われる。
【００２７】
加熱装置１においては、加熱媒体流路１５から加熱流路１７内へと流れ込んだ加熱媒体を、ハロゲンランプ２による直接加熱、加熱状態の熱交換部材３からの熱交換或いは加熱流路１７の加熱雰囲気によって効率的に加熱する。加熱装置１は、熱交換部材３の先端部に細径の吹出し口３ｂを形成したことにより、加熱媒体を加速かつ収束した状態で外部へと吹き出して被加熱体に吹き付けてこれを加熱する。
【００２８】
加熱装置１においては、点灯されたハロゲンランプ２の光が、吹出し口３ｂを介して加熱媒体の吹出し側へと放射されて被加熱体をスポット照射する。したがって、加熱装置１においては、加熱媒体の吹出し位置がスポット光によって確認されることで、面倒な位置合わせ操作等を不要として被加熱体に対して加熱媒体を効率的かつ正確に吹き付け得ることが可能となる。
【００２９】
加熱装置１においては、ハロゲンランプ２が切れる等の事態が発生した場合には、ホルダ部材４からベース部材７を取り外すことによってその交換処理が行われる。加熱装置１においては、通しボルト９を取り外した状態でベース部材７を引き出すことにより、口金部材５とハロゲンランプ２とが口金部材取付け孔１２から引き出される。加熱装置１においては、これによってハロゲンランプ２の交換を行い、逆の操作によって各部材の組み付けが行われる。
【００３０】
加熱装置１においては、上述したハロゲンランプ２の交換に際して、ホルダ部材４と熱交換部材３とがスタンド部材等に位置決めされた状態のままに保持することが可能であることから、加熱媒体の吹出し位置を再調整する操作が不要である。したがって、加熱装置１においては、上述したハロゲンランプ２を用いることによる加熱媒体の温度や吹出し量の管理或いはその交換処理を含めて、取り扱いが極めて簡便である。
【００３１】
本発明は、上述した加熱装置１に限定されるものでは無く、構成各部材や各部が種々変更される。第２の実施の形態として図３乃至図５に示した加熱装置２０は、上述した加熱装置１と基本的な構成を同様とするが、被加熱体に対して加熱媒体をより効率的に吹き付けるノズル部材２１と、加熱媒体の供給量を調整する流量調整機構２２とが付設された構成に特徴がある。加熱装置２０も、加熱源として片口型ハロゲンランプ２が用いられ、熱交換部材２３と、ホルダ部材２４と、口金部材２５と、断熱部材２６等の部材によって本体部が構成される。
【００３２】
熱交換部材２３は、上述した熱交換部材３とその構成をほぼ同等とされ、一端部に外周ネジ２３ａが形成されたハロゲンランプ２の全長を被覆するに足る全体略筒状を呈してなる。熱交換部材２３は、先端部２３ｂが細径に絞られるとともに、その外周部に外周ネジ２３ｃが形成されている。熱交換部材２３には、外周ネジ２３ｃを介してノズル部材２１が着脱自在に組み付けられる。
【００３３】
ノズル部材２１は、金属材によって形成され、図３に示すように熱交換部材２３の外周ネジ２３ｃにねじ込まれる内周ネジが形成されたやや太径の基部２１ａと、この基部２１ａから一体に突設されノズル孔２１ｃが形成されたノズル部２１ｂとからなる。ノズル部材２１は、加熱媒体をより加速かつ収束した状態で被加熱体に吹き付けるようにすることによって、加熱効率を大幅に向上させる。
【００３４】
なお、ノズル部材２１は、被加熱体の加熱条件等によってノズル孔２１ｃの口径を異にしたものが適宜選択されて熱交換部材２３の先端部２３ｂに取り付けられる。また、ノズル部材２１は、加熱装置２０が比較的低温の加熱媒体を吹き出すようにする場合には、例えば軽量かつ廉価な合成樹脂によって成形してもよいことは勿論である。
【００３５】
ホルダ部材２４は、図４に示すように金属材や合成樹脂材によって全体略有底筒状に形成されており、側面部２４ａに筒状のコード引出し部２７が一体に突設されている。ホルダ部材２４には、外周部２４ｂの開口縁の内周部に熱交換部材２３の外周ネジ２３ａがねじ込まれる内周ネジ２４ｃが形成されている。ホルダ部材２４には、外周部２４ｂに、内部に連通する加熱媒体流路が形成された筒状の加熱媒体供給管２８がシーリングされた状態で取り付けられている。加熱媒体供給管２８は、ホルダ部材２４に熱交換部材２３を取り付けた状態で、熱交換部材２３の内部に構成された加熱流路３１に連通されて、図示しない加熱媒体供給部から加熱媒体を供給する。
【００３６】
ホルダ部材２４には、その内部に口金部材２５が組み付けられている。口金部材２５は、そのソケット部を開口部に向けて基部がホルダ部材２４の側面部２４ａの内面に接着剤２９によって固定されている。口金部材２５は、基部から電源コード１１が引き出され、この電源コード１１がコード引出し部２７の内部を導通されて外方へと引き出される。ホルダ部材２４は、パッキン３０がコード引出し部２７に嵌合されることよって、このコード引出し部２７が封止されている。
【００３７】
断熱部材２６も、熱伝導率が比較的小さな合成樹脂材料やステンレス材等によって熱交換部材３及びホルダ部材２４とをほぼ全長に亘って被覆するに足る全体略筒状に形成されてなる。断熱部材２６は、その内径がホルダ部材２４の外径とほぼ等しく形成されるとともに、一端部の内周壁に内周ネジを形成し、ホルダ部材２４の外周部に形成した外周ネジにねじ込むことによって組み付ける。断熱部材２６には、図３に示すようにその基部を加熱媒体供給管２８が貫通してホルダ部材２４の内部に臨ませられている。
【００３８】
加熱装置２０においては、ハロゲンランプ２と熱交換部材２３との間に、加熱媒体を加熱する加熱流路３１が構成されている。加熱流路３１は、上述したようにその一端部がホルダ部材２４の加熱媒体供給管２８に連通するとともに、他端部が熱交換部材２３の先端部２３ｂに取り付けたノズル部材２１を吹出し部として構成されてなる。加熱装置２０においては、後述するように加熱媒体供給管２８から供給された加熱媒体が加熱流路３１内においてハロゲンランプ２によって加熱され、ノズル部材２１のノズル孔２１ｃから噴出させる。
【００３９】
加熱装置２０は、流量調整機構２２によって、加熱流路３１に供給される加熱媒体の供給量が調整される。流量調整機構２２は、内部に接続孔が形成され、その一端側に加熱媒体供給管２８が接続されるとともに他端側に供給パイプ１０が接続された弁部材３２と、調整つまみ部材３３とから構成される。弁部材３２には、図示しないが内部に調整つまみ部材３３を回転操作することによって接続孔の開口径を調整する弁機構が設けられている。かかる流量調整機構２２は、調整つまみ部材３３により、使用条件によってノズル部材２１のノズル孔２１ｃから噴出される加熱媒体の噴出量を調整する。
【００４０】
加熱装置２０は、図５に示すようにスタンド部材３４に支持されて工程中に設置される。スタンド部材３４は、スタンド台３５と、このスタンド台３５に対して首振り自在かつ高さ調整自在に支持された第１の調整部材３６と、この第１の調整部材３６に対して首振り自在かつスライド自在に支持された第２の調整部材３７等によって構成される。スタンド部材３４は、第２の調整部材３７によって加熱装置２０のホルダ部材２４を回転自在に保持する。
【００４１】
スタンド部材３４は、例えば図５に示すようにホルダ部材２４の電源コード引出し部２７の外周部を保持する。スタンド部材３４は、この状態で第１の調整部材３６と第２の調整部材３７との取り付け位置を適宜調整することによって、工程中に供給される被加熱体に対する加熱装置２０のノズル部材２１の位置を調整させる。
【００４２】
加熱装置２０は、電源スイッチが閉成されるとともに所定電圧の調整操作が行われることでハロゲンランプ２が点灯し、またポンプ等が起動されて供給パイプ１０から流量調整機構２２に加熱媒体が供給される。加熱装置２０においては、調整つまみ部材３３を操作することによって供給量が適宜調整され、加熱媒体が流量調整機構２２から加熱媒体供給管２８を介して加熱流路３１内へと供給される。加熱装置２０においては、ハロゲンランプ２の発熱により、短時間でかつ安定した状態で加熱流路３１内を加熱雰囲気にするとともに熱交換部材２３も加熱される。加熱装置２０においては、電圧調整によってハロゲンランプ２の発熱、発光状態が適宜調整され、加熱媒体の温度管理が確実かつ容易に行われる。
【００４３】
加熱装置２０においては、加熱流路３１内へと供給された加熱媒体が、ハロゲンランプ２によって直接加熱されるとともに、加熱状態の熱交換部材２３からの熱交換による加熱或いは加熱雰囲気にある加熱流路３１からの加熱によって効率的に加熱される。加熱装置２０は、所定の温度に加熱した加熱媒体を熱交換部材２３の先端部２３ｂに取り付けたノズル部材２１のノズル孔２１ｃから、加速かつ収束した状態で外部へと吹き出して被加熱体に吹き付けてこれを加熱する。
【００４４】
加熱装置２０においても、点灯されたハロゲンランプ２の光が、ノズル部材２１のノズル孔２１ｃから放射されて被加熱体をスポット照射する。したがって、加熱装置２０においては、加熱媒体の吹出し位置がスポット光によって確認されることで、面倒な位置合わせ操作等を不要として被加熱体に対して加熱媒体を効率的かつ正確に吹き付け得ることが可能となる。
【００４５】
加熱装置２０においては、ハロゲンランプ２が切れる等の事態が発生した場合には、ホルダ部材２４から熱交換部材２３が取り外された後に、その交換処理が行われる。加熱装置２０においては、この状態でハロゲンランプ２が口金部材２５から取り外されて交換される。加熱装置２０においては、これによってハロゲンランプ２の交換を行い、逆の操作によって各部材の組み付けが行われる。
【００４６】
加熱装置２０においても、上述したハロゲンランプ２の交換に際して、ホルダ部材２４がスタンド部材３４に取り付けられて位置決めされた状態に保持されることから、加熱媒体の吹出し位置を再調整する操作が不要である。したがって、加熱装置２０においては、上述したハロゲンランプ２を用いることによる加熱媒体の温度や吹出し量の管理或いはその交換処理を含めて、取り扱いが極めて簡便であり、被加熱体の効率的な加熱を行う。
【００４７】
なお、上述したノズル部材２１や流量調整機構２２は、第１の実施の形態の加熱装置１に付設してもよいことは勿論である。
【００４８】
【発明の効果】
以上詳細に説明したように、本発明にかかる加熱装置によれば、片口型ハロゲンランプを加熱源として用いるとともにホルダ部材に片持ち支持した熱交換部材の基端側から加熱媒体を供給し、この加熱媒体を熱交換部材の内部に構成された加熱流路内で加熱するとともに先端部から吹き出して被加熱体を直接加熱するようにしたことから、熱損失の抑制が図られて、被加熱体の加熱が効率的に行われるようになる。また、加熱装置によれば、小型軽量であるとともに、片口型ハロゲンランプの交換操作が設置状態でも片側から可能とされることで、操作性が極めて高くかつ様々な被加熱体に対してもその目的に応じて適用が可能であり、また手持ちでの使用も可能であることから汎用性が極めて高い。さらに、加熱装置は、被加熱体に対する加熱媒体の吹付け位置が自由端部の吹出し部を介して漏出するハロゲンランプの光によって照明されることで吹付け位置の設定を容易かつ正確に行うことが可能であり、被加熱体をより効率的に加熱するとともにスポット加熱も可能となる。
【図面の簡単な説明】
【図１】  本発明の第１の実施の形態として示す加熱装置の要部縦断面図である。
【図２】  同加熱装置の本体部を示す要部縦断面図である。
【図３】  本発明の第２の実施の形態として示す加熱装置の要部縦断面図である。
【図４】  同加熱装置の本体部を示す分解斜視図である。
【図５】  同加熱装置をスタンド部材に支持した状態の斜視図である。
【符号の説明】
１  加熱装置、２  ハロゲンランプ、２ａ  口金、３  熱交換部材、３ａ  吹出し部、４  ホルダ部材、５  口金部材、６  断熱部材、７  ベース部材、１７  加熱流路、２０  加熱装置、２１  ノズル部材、２２  流量調整機構、２３  熱交換部材、２４  ホルダ部材、２５  口金部材、２６  断熱部材、３１  加熱流路、３４  スタンド部材
【図１】
0004060017.tif 000002
【図２】
0004060017.tif 000003
【図３】
0004060017.tif 000004
【図４】
0004060017.tif 000005
【図５】
0004060017.tif 000006